(57)【特許請求の範囲】
【請求項１】
ベースが最短距離に接続されるように近接して設けた第１トランジスタ３５及び第２トランジスタ３６と、
ベースが最短距離に接続されるように近接して設けた第３トランジスタ３７及び第４トランジスタ３８と、
ベースに高周波増幅器５で増幅された第１高周波増幅信号Ｒｆ+が加えられる第５トランジスタ３９と、
ベースに高周波増幅器５で増幅され前記第１高周波増幅信号Ｒｆ+と１８０度位相を異にする第２高周波増幅信号Ｒｆ-が加えられる第６トランジスタ４０とよりなり、
局部発振器７よりの第１局部発振信号を前記第１トランジスタ３５と第２トランジスタ３６のベースに加え、前記第１局部発振信号と１８０度位相を異にする局部発振器よりの第２局部発振信号を前記第３トランジスタ３７と第４トランジスタ３８のベースに加え、
第１トランジスタ３５と第３トランジスタ３７のエミッタを接続し前記第５トランジスタ３９からの第１高周波増幅信号Ｒｆ+を加え、第２トランジスタ３６と第４トランジスタ３８のエミッタを接続し前記第６トランジスタ４０からの前記第２高周波増幅信号Ｒｆ-を加え、
第１トランジスタ３５と第４トランジスタ３８のコレクタを接続し、第１中間周波信号ＩＦ+を取出し、第２トランジスタ３６と第３トランジスタ３７のコレクタを接続し、第１中間周波信号と１８０度位相を異にする第２中間周波信号ＩＦ-を取出し、夫々中間周波増幅器１０に加えることを特徴とするマイクロ波帯ダブルバランス型ミキサ回路。
【請求項２】
第１トランジスタ３５と第２トランジスタ３６及び第３トランジスタ３７と第４トランジスタ３８のベースを夫々接続する配線の特性インピーダンスと電気長を同一にすることを特徴とする請求項１に記載のマイクロ波帯ダブルバランス型ミキサ回路。
【発明の詳細な説明】
【０００１】
【発明の属する技術分野】
本発明はマイクロ波帯域の高周波信号を使用する携帯電話等に用いられるマイクロ波帯ダブルバランス型ミキサ回路に関する。
【０００２】
【従来の技術】
マイクロ波帯の高周波信号を用いた携帯電話機等の無線通信機においては、アンテナに受信されたマイクロ波帯の高周波信号を先ず高周波増幅回路で増幅した後、ミキサ回路で周波数変換し更に復調等が行われる。
【０００３】
図２は従来のダブルバランス型ミキサ回路を利用した携帯電話機の高周波部分のブロック図の例である。１はアンテナ又はケーブル等を介して受信された受信信号を処理する受信部、２はアンテナ又はケーブル等を介して送信される送信信号を処理する送信部である。
【０００４】
前記受信部1はアンテナ等に受信されたマイクロ波帯の高周波信号を増幅する高周波増幅回路５と、ＰＬＬ６にて発振周波数が制御される電圧制御発振器よりなる局部発振器７と、該局部発振器７よりバッファーアンプ６を介して加わる局部発振信号と前記高周波増幅回路５よりの高周波信号とを混合するミキサ回路９と、該ミキサ回路９で変換された中間周波数信号を増幅する中間周波増幅回路１０とよりなる。
【０００５】
また送信部２は送信するべき送信信号が変換された中間周波数信号を増幅する中間周波増幅回路１7と、該中間周波増幅回路１7よりの中間周波数信号と前記局部発振器７よりバッファーアンプ１８を介して加わる局部発振信号と混合するミキサ回路１９およびミキサ回路１９よりのマイクロ波帯の高周波数信号を増幅し、前記アンテナに供給する高周波増幅回路２０とよりなる。
【０００６】
受信状態では、アンテナを介して高周波増幅回路５に加えられた高周波信号は前記高周波増幅回路５で増幅され、さらにミキサ回路９に加わり局部発振器からの局部発振信号とミキサされ、前記ミキサ回路９から中間周波数信号が取出され中間周波増幅回路１０で増幅される。
【０００７】
ところで前記ミキサ回路９はエミッタが対向して配置されて接続されたトランジスタ２１とトランジスタ２２及び同様にエミッタが対向して配置され且つ接続されたトランジスタ２３とトランジスタ２４、前記トランジスタ２１とトランジスタ２２の接続されたエミッタにコレクタが接続されたトランジスタ２５、前記トランジスタ２３とトランジスタ２４の接続されたエミッタにコレクタが接続されたトランジスタ２６とよりなる。
【０００８】
前記トランジスタ２１とトランジスタ２４のベースは接続されており、また前記トランジスタ２２とトランジスタ２３のベースは接続されている。さらに前記トランジスタ２１とトランジスタ２３のコレクタは接続されると共に抵抗２７を介して電源電圧Ｖｃｃが加えられ、同様にさらに前記トランジスタ２２とトランジスタ２４のコレクタは接続されると共に抵抗２８を介して電源電圧Ｖｃｃが加えられる。
【０００９】
前記トランジスタ２５とトランジスタ２６のエミッタは抵抗３１を介して接続されていると共に、夫々抵抗２９、３０を介して接地されている。
【００１０】
前記高周波増幅器５の出力段は差動アンプで構成されており、増幅された高周波増幅信号Ｒｆ+と該高周波増幅信号Ｒｆ+と１８０度位相を異にする高周波増幅信号Ｒｆ-とが取出され、前記高周波増幅信号Ｒｆ+はトランジスタ２５のベースに加えられ、また高周波信号Ｒｆ-はトランジスタ２６のベースに加えられる。
【００１１】
また前記バッファアンプ８は差動アンプで構成されており、局部発振器７からの局部発振信号をバッファし局部発振信号Ｌｏ+と該局部発振信号Ｌｏ+と１８０度位相を異にする局部発振信号Ｌｏ-を出力し、局部発振信号Ｌｏ+はトランジスタ２１とトランジスタ２４のベースに加えられ、局部発振信号Ｌｏ-はトランジスタ２２とトランジスタ２３のベースに加えられる。
【００１２】
前記トランジスタ２１のベースに局部発信信号Ｌｏ+が加えられ、エミッタに高周波増幅信号Ｒｆ+が加えられるのでミキサされコレクタから中間周波信号が取出される。またトランジスタ２３のベースに局部発信信号Ｌｏ-が加えられ、エミッタに高周波増幅信号Ｒｆ-が加えられコレクタから中間周波信号ＩＦ+が取出される。
【００１３】
同様にしてトランジスタ２２のベースに局部発信信号Ｌｏ-が加えられ、エミッタに高周波増幅信号Ｒｆ+が加えられるのでミキサされコレクタから中間周波信号が取出される。またトランジスタ２４のベースに局部発信信号Ｌｏ+が加えられ、エミッタに高周波増幅信号Ｒｆ-が加えられコレクタから中間周波信号ＩＦ-が取出される。
【００１４】
前記取出された中間周波信号ＩＦ+と中間周波信号ＩＦ-は中間周波増幅器１０の前段の差動アンプに加えられる。
【００１５】
【発明が解決しようとする課題】
前記ダブルバランス型ミキサ回路をマイクロ波帯域で用いた場合、接続するトランジスタのベースの配線が長くなると、各トランジスタ間で信号の位相差を生じ異常発振し、回路自体の動作が不安定になる場合があった。
【００１６】
【課題を解決するための手段】
本発明のダブルバランス型ミキサ回路は第１トランジスタと第２トランジスタ及び第３トランジスタと第４トランジスタのベースを夫々最短距離で接続されるように設け、第１局部発振信号を前記第１トランジスタと第２トランジスタのベースに加え、第２局部発振信号を前記第３トランジスタと第４トランジスタのベースに加え、第１トランジスタと第３トランジスタのエミッタを接続し前記第５トランジスタからの第１高周波増幅信号を加え、第２トランジスタと第４トランジスタのエミッタを接続し前記第６トランジスタからの第２高周波増幅信号を加え、第１トランジスタと第４トランジスタのコレクタを接続し、第１中間周波信号を取出し、第２トランジスタと第３トランジスタのコレクタを接続し、第２中間周波信号を取出す構成をなす。
【００１７】
【発明の実施の形態】
本発明のマイクロ波帯ダブルバランス型ミキサ回路を図面に従って説明する。
【００１８】
図１は本発明のマイクロ波帯ダブルバランス型ミキサ回路のブロック図で、従来と同じ構成部分は同一番号を付する。
【００１９】
１はアンテナ又はケーブル等を介して受信された受信信号を処理する受信部、２はアンテナ又はケーブル等を介して送信される送信信号を処理する送信部である。
【００２０】
前記受信部1はアンテナ等に受信されたマイクロ波帯の高周波信号を増幅する高周波増幅回路５と、ＰＬＬ６にて発振周波数が制御される電圧制御発振器よりなる局部発振器７と、該局部発振器７よりバッファーアンプ６を介して加わる局部発振信号と前記高周波増幅回路５よりの高周波信号とを混合するミキサ回路９と、該ミキサ回路９で変換された中間周波数信号を増幅する中間周波増幅回路１０とよりなる。
【００２１】
また送信部２は送信するべき送信信号が変換された中間周波数信号を増幅する中間周波増幅回路１7と、該中間周波増幅回路１7よりの中間周波数信号と前記局部発振器７よりバッファーアンプ１８を介して加わる局部発振信号と混合するミキサ回路１９および該ミキサ回路１９よりのマイクロ波帯の高周波数信号を増幅し、前記アンテナに供給する高周波増幅回路２０とよりなる。
【００２２】
受信状態では、アンテナ又はケーブルを介して高周波増幅回路５に加えられた高周波信号は前記高周波増幅回路５で増幅され、さらにミキサ回路９に加わりミキサされる。ミキサ回路９では前記高周波信号と局部発振器７からの局部発振信号とがミキサされ中間周波数信号が取出され中間周波増幅回路１０で増幅される。
【００２３】
ところで前記ミキサ回路９はベースが最短距離に接続されるように近接して設けた第１トランジスタ３５及び第２トランジスタ３６と、同様にベースが最短距離に接続されるように近接して設けた第３トランジスタ３７及び第４トランジスタ３８と、ベースに高周波増幅器５で増幅された第１高周波増幅信号Ｒｆ+が加えられる第５トランジスタ３９と、ベースに高周波増幅器５で増幅され前記と１８０度位相を異にする第２高周波増幅信号Ｒｆ-が加えられる第６トランジスタ４０とよりなる。
【００２４】
前記第１トランジスタ３５と第２トランジスタ３６及び第３トランジスタ３７と第４トランジスタ３８のベースを夫々接続する配線の特性インピーダンスと電気長を同一にしている。
【００２５】
また第１トランジスタ３５と第３トランジスタ３７のエミッタは接続され前記第５トランジスタ３９からの高周波増幅信号Ｒｆ+が加えられ、又前記第２トランジスタ３６と第４トランジスタ３８のエミッタは接続され前記第６トランジスタ４０からの高周波増幅信号Ｒｆ-が加えられる。
【００２６】
さらに第１トランジスタ３５と第４トランジスタ３８のコレクタは接続さると共に抵抗４１を電源電圧Ｖｃｃが加えられ、同様に第２トランジスタ３６と第３トランジスタ３７のコレクタは接続さると共に抵抗４２を電源電圧Ｖｃｃが加えられる。
【００２７】
前述したように第１トランジスタ３５のベースに局部発信信号Ｌｏ+が加えられ、エミッタに高周波増幅信号Ｒｆ+が加えられミキサされる。また第４トランジスタ３８のベースに局部発信信号Ｌｏ-が加えられ、エミッタに高周波増幅信号Ｒｆ-が加えられミキサされる。
【００２８】
同様に前記第２トランジスタ３６のベースに局部発信信号Ｌｏ+が加えられ、エミッタに高周波増幅信号Ｒｆ-が加えられミキサされ、また第４トランジスタ３８のベースに局部発信信号Ｌｏ-が加えられミキサされる。
【００２９】
前記局部発振器７は前記制御信号にてＰＬＬ６が制御され、局部発振器７からは丁度高周波信号と中間周波数分だけ異なる周波数の局部発振信号を発振するので、前記ミキサされることにより第１トランジスタ３５と第４トランジスタ３８のエミッタから中間周波信号ＩＦ+が取出され、第２トランジスタ３６と第３トランジスタ３７のエミッタから中間周波信号ＩＦ+が取出される。
【００３０】
前記取出された中間周波信号ＩＦ+と中間周波信号ＩＦ-は中間周波増幅器１０の前段の差動アンプに加えられる。
【００３１】
【発明の効果】
本発明のダブルバランス型ミキサ回路は第１トランジスタと第２トランジスタ及び第３トランジスタと第４トランジスタの１ベースが最短距離で接続されるように近接して設けたので、ベース間を接続する配線の浮遊容量あるいはインダクタンスを最小にでき、高い周波数まで回路動作を安定にできる。
【００３２】
さらに各トランジスタのベースを夫々接続する配線の特性インピーダンスと電気長を同一にすることにより、各トランジスタ間での信号の位相差の発生を防止し、異常発振の発生するのを防げる。
【図面の簡単な説明】
【図１】本発明のマイクロ波帯ダブルバランス型ミキサ回路のブロック図である。
【図２】従来のマイクロ波帯ダブルバランス型ミキサ回路のブロック図である。
【符号の説明】
１    受信部
２    送信部
５    高周波増幅回路
７    局部発振回路
９    ミキサ回路
１０  中間周波増幅回路
３５  第１トランジスタ
３６  第２トランジスタ
３７  第３トランジスタ
３８  第４トランジスタ
３９  第５トランジスタ
４０  第６トランジスタ
【図１】
0003723435.tif 000002
【図２】
0003723435.tif 000003